(57)【要約】      （修正有）【課題】画像の撮影時には位置合わせやズームをすることなく、画像を閲覧するときに拡大縮小・位置合わせを行った情報を複数記録して閲覧できるようにする。【解決手段】  画像を閲覧したときに、拡大縮小情報と位置情報とを複数記録し、次に画像を閲覧するときに、当該複数の拡大縮小情報と位置情報とに基づいて画像を出力する。【選択図】図１
2006121306.tif 000002
【特許請求の範囲】
【請求項１】
表示画面に表示された画像の、表示画面に対する割合と位置とを変更できる画像閲覧方法であって、
前記変更情報を一画像に対して複数記録する記録工程と、
前記記録された複数の情報それぞれに従って画像を出力する出力工程とを備えることを特徴とする画像出力方法。
【請求項２】
前記記録工程では、手動若しくは自動で前記変更情報を記録することを特徴とする請求項１記載の画像出力方法。
【請求項３】
前記記録工程では、視線入力の注目していた場所の情報を変更情報として記録することを特徴とする請求項１記載の画像出力方法。
【請求項４】
前記記録工程では、ローカル若しくはネットワーク上の記憶領域に前記変更情報を記録することを特徴とする請求項１記載の画像出力方法。
【請求項５】
前記変更情報は、画像のメタデータ領域若しくは別ファイルに画像の属性情報として記録することを特徴とする請求項１記載の画像出力方法。
【請求項６】
前記変更情報は、拡大縮小・位置合わせ・回転を含むことを特徴とする請求項１記載の画像出力方法。
【請求項７】
前記変更情報は、構造化言語で記述することを特徴とする請求項１記載の画像出力方法。
【請求項８】
前記出力工程では、前記記録された複数の変更情報それぞれに従った画像を連続して出力することを特徴とする請求項１記載の画像出力方法。
【請求項９】
表示画面に表示された画像の、表示画面に対する割合と位置とを変更できる画像閲覧装置であって、
前記変更情報を一画像に対して複数記録する記録手段と、
前記記録された複数の情報それぞれに従って画像を出力する出力手段とを備えることを特徴とする画像出力装置。
【請求項１０】
表示画面に表示された画像の、表示画面に対する割合と位置とを変更できる画像閲覧手順を記述するプログラムであって、
前記変更情報を一画像に対して複数記録する記録手順と、
前記記録された複数の情報それぞれに従って画像を出力する出力手順とをコンピュータに実行させるためのプログラム。
【請求項１１】
請求項１０に記載のプログラムを格納するコンピュータ可読メモリ。
【発明の詳細な説明】
【技術分野】
【０００１】
本発明は、画像データ記録、出力技術に関する。
【背景技術】
【０００２】
デジタルカメラには液晶モニタが本体に付き、撮影した画像をその場で再生することができる。その際、撮影画像のピントが合っているかどうかなどの確認ができるように、再生画像を拡大することが可能である。この時、デジタルカメラに付属の液晶モニタの解像度は小さい為、最初は全画像が出力されているが、拡大すると画像の一部分しか見ることができない。そのため、デジタルカメラについているボタンなどの入力手段により、上下左右自在に見たい位置に移動することが可能である。また、高画素数、高解像度で撮影できるため、撮影時にズームしなくても、広角に撮影しておいて再生時にズームして見ても十分綺麗な画像を楽しむことができる。
【０００３】
また、デジタルカメラで撮影した画像データとは別に、画像出力制御情報や印刷情報や画像処理情報などを画像ファイル内に記録して（画像データの入った画像ファイルとは別ファイルにそれらの情報を保存してもよい）、その画像ファイルをコンピュータなどの画面やプリンタに出力する際に、それらの情報を取り出し、情報に応じた加工を画像データに施し出力することで画像のデバイスに最適な出力を得る技術が存在する（例えば〔特許文献１〕〔特許文献２〕〔特許文献３〕参照）。
【０００４】
また、デジタルカメラのプリント用フォーマットとしてＤＰＯＦ（Ｄｉｇｉｔａｌ  Ｐｒｉｎｔ  Ｏｒｄｅｒ  Ｆｏｒｍａｔ）（ｈｔｔｐ：／／ｗｗｗ．ｐａｎａｓｏｎｉｃ．ｃｏ．ｊｐ／ａｖｃ／ｖｉｄｅｏ／ｄｐｏｆ／ｄｐｏｆ＿１１０／ｗｈｉｔｅ．ｈｔｍを参照）があり、プリントしたい画像や枚数などの情報をあらかじめデジタルカメラ側で直接記録メディアに記録できる。さらに、Ｅｘｉｆ（Ｅｘｃｈａｎｇｅａｂｌｅ  Ｉｍａｇｅ  Ｆｉｌｅ  Ｆｏｒｍａｔ）という、撮影日付や撮影場所などの撮影情報を画像ファイルに付加した画像フォーマットが存在する（ｈｔｔｐ：／／ｗｗｗ．ｋｏｄａｋ．ｃｏｍ／ｇｌｏｂａｌ／ｅｎ／ｓｅｒｖｉｃｅ／ｔｉｂ／ｔｉｂ４３１７．ｓｈｔｍｌを参照）。
【０００５】
さらに、画像を最適な位置、大きさ、形状及び倍率で表示した情報を保存し、保存した情報に基づいた画像の表示が行われている（例えば〔特許文献４〕参照）。ただし、保存できる情報は一画像に対して一パターンのみである。
【特許文献１】特開２００２−３００３７６号公報
【特許文献２】特開２００２−３２０１７３号公報
【特許文献３】特開２００２−３４４８８１号公報
【特許文献４】特開２００２−２０７５４７号公報
【発明の開示】
【発明が解決しようとする課題】
【０００６】
デジタルカメラのプレビュー画面などでの画像の再生時に、拡大率と位置の情報などを記録することにより、次に同じ画像を再生した時に、拡大された画像を表示することができるようにする。一つの画像に対して、複数の情報を記録し複数の画像を複製することができるようにする。
【０００７】
高解像度で原画像を撮影しておき、撮影時には位置合わせやズームをすることなく、後に拡大しても精細な画像として複製を記録することができるようにする。
【課題を解決するための手段】
【０００８】
上記の課題を解決するため、本発明による画像出力方法は以下の構成を備える。即ち、表示画面に表示された画像の、表示画面に対する割合と位置とを変更できる画像閲覧方法であって、前記変更情報を一画像に対して複数記録する記録工程と、前記記録された複数の情報それぞれに従って画像を出力する出力工程。
【０００９】
上記の課題を解決するため、本発明による画像出力装置は以下の構成を備える。即ち、表示画面に表示された画像の、表示画面に対する割合と位置とを変更できる画像閲覧装置であって、前記変更情報を一画像に対して複数記録する記録手段と、前記記録された複数の情報それぞれに従って画像を出力する出力手段。
【００１０】
上記の課題を解決するため、本発明によるプログラムは以下の構成を備える。即ち、表示画面に表示された画像の、表示画面に対する割合と位置とを変更できる画像閲覧手順を記述するプログラムであって、
前記変更情報を一画像に対して複数記録する記録手順と、
前記記録された複数の情報それぞれに従って画像を出力する出力手順。
【発明の効果】
【００１１】
本発明によれば、前回までの画像閲覧時の複数の修正情報に基づいて、原画像から擬似的に複数の画像を閲覧することができる。
【発明を実施するための最良の形態】
【００１２】
＜実施形態１＞
以下、添付図面に従って、本発明の実施形態例について説明する。
【００１３】
図１は、本発明の実施形態１を示す画像データ生成・出力装置の構成を説明するブロック図であり、デジタルカメラ、デジタルカムコーダの例を示している。
【００１４】
図１において、１０１は撮像部で、被写体を撮影して映像信号を出力する。１０２は主記憶部で、撮像部１０１から出力される映像信号が入力される。主記憶装置１０２は、主に半導体メモリで構成される。１０３は出力表示部であり、液晶などで構成される。撮像部１０１からの映像信号や主記憶部１０２からの再生信号が入力され、入力された映像信号を画面上に表示する。
【００１５】
１０４は画像処理部であり、撮像部１０１からの映像信号や主記憶部１０２からの再生信号を、制御部１０６からの制御信号に基づき処理して、入力された映像信号をキャプチャーし圧縮処理して静止画像データに変換処理や、拡大処理などの画像処理を行う。
【００１６】
１０５は入力部で、デジタルカメラの各種操作・指示を行うボタンやレバーからの入力を扱う。
【００１７】
制御部１０６は、制御手順に従うプログラムを記憶しているプログラムメモリ１０６２を備え、装置の各構成要素をプログラムメモリ１０６２に記憶されているプログラムの制御手順に従いＣＰＵ１０６１が動作する。
【００１８】
１０７はＩ／Ｆ部で、画像処理部１０４から出力される圧縮画像データや制御部１０６から入力される画像データとメタデータをファイルとしてリムーバブルメディア１０８に書き込む。
【００１９】
なお、リムーバブルメディア１０８は、ＣＦ（Ｃｏｍｐａｃｔ  Ｆｌａｓｈ）カードやＳＭ（Ｓｍａｒｔ  Ｍｅｄｉａ（登録商標））カードやＭＭＣ（Ｍｕｌｔｉ  Ｍｅｄｉａ  Ｃａｒｄ）等のリムーバブルなメモリカードで構成され、入力される様々なデータをファイルとして記録する。
【００２０】
フローチャート図２を用いて説明する。先ず、処理ステップＳ１００において、初期値として拡大率Ｔを１倍（等倍）に設定し、位置情報を画像の左上隅を原点とし、横方向と縦方向の値を０として、（ｘ，ｙ）＝（０，０）とする、処理ステップＳ１０１で画像を再生する。次に、処理ステップＳ１０２で、図１の入力部１０５の拡大ボタンやレバー等で拡大指示がされたかを判定する。された場合は、処理ステップＳ１０３で拡大率Ｔが１かどうかを判定し、Ｔが１の場合は、処理ステップＳ１０４に移りＴを２にして拡大率を２倍とする。処理ステップＳ１０３でＴが１でない場合は、処理ステップＳ１０６に移り拡大率Ｔが２かどうかを判定し、Ｔが２の場合は、処理ステップＳ１０７に移りＴを３にして拡大率を３倍とする。
【００２１】
処理ステップＳ１０４及び処理ステップＳ１０７で拡大率Ｔが設定されたあとは、処理ステップＳ１０５に移りＴ倍で、図１の１０４の画像処理部において画像が拡大され、処理ステップＳ１０１に戻り拡大画像が再生される。
【００２２】
処理ステップＳ１０６において、Ｔが２でないと判定された場合は、処理ステップＳ１００に戻り拡大率Ｔを１倍に設定して処理ステップＳ１０１〜ステップＳ１１２までの処理を繰り返す。
【００２３】
処理ステップＳ１０２で拡大指示がされていない場合は、処理１０８に移り、位置移動指示がされたかが判定される。位置移動指示がされていた場合は、処理ステップＳ１０９に移り、位置移動指示のうち上下左右のどれがされたかにより指示と同じ方角に画像を移動させる。例えば右に指示された場合は、画像を右に移動させる。この際、移動量は本発明では特に規定しない。画像を移動後は、処理ステップＳ１０１に移り画像を再生する。
【００２４】
処理ステップＳ１０８で、位置移動指示がされてない場合は、処理ステップＳ１１０に移り、情報記録ボタンが押されているかどうかを判定する。情報記録ボタンが押されている場合は処理ステップＳ１１１に移り、拡大率Ｔとその時点での位置情報を取得する。そして、処理ステップＳ１１２に移り前記拡大率Ｔと位置情報をメタデータとして図１のリムーバブルメディア１０８に記録する。そして、処理ステップＳ１０２からの一連の処理に戻る。
【００２５】
処理１１０において、情報記録ボタンが押されていない場合は、処理ステップＳ１０２からの一連の処理に戻る。
【００２６】
なおこの説明では、拡大率は、拡大ボタンを押すごとに、１倍→２倍→３倍→１倍・・・と３倍まで拡大するとまた１倍に戻るようになっているが、本発明はこれに限るものではなく、倍率の設定は自由である。例えば、１倍に戻らずどんどん倍率を上げていっても良いし、
１倍→２倍→５倍→１０倍→１倍・・・のように線形に倍率が遷移しなくても良い。
【００２７】
拡大率Ｔと位置情報はどのように記録されるかを表す図が図３である。図３（ａ）は画像ファイルを表していて、図３（ａ）の２０１はＪＰＥＧなどで圧縮された画像データそのものが格納される画像データ格納領域で、２０２は、その画像データとは別の領域で、拡大率や位置情報などのメタデータが格納されるメタデータ格納領域である。２０２の内容をさらに詳しく表したものが図３（ｂ）であり、本発明ではどのような形式でもよいが、ここではＸＭＬ形式で記述した。ｍｅｔａｄａｔａタグの中に、画像情報タグと表示制御タグが存在し、画像情報タグでは、”．．／ＤＣＩＭ／１００ＣＡＮ／ＩＭＧ＿０００１．ＪＰＧ”という画像データの存在場所と、２０４８ｘ１５３６の大きさの画像であることが示されている。表示制御タグでは、ｏｖｅｒｗｒｉｔｅフラグがｏｎになっているため、どんどん上書きされることをしめし、後述のｐｏｉｎｔタグが１つしかないことをｎｕｍフラグが表している。拡大率と表示位置情報は、表示制御タグの中のｐｏｉｎｔタグの中に記述される。ｐｏｉｎｔタグは後で述べる複数の拡大縮小情報と位置情報を管理する為に設けてある。この図３（ｂ）の例では、拡大率が２で２倍であること、また、表示位置は横が５００ｐｉｘｅｌで縦が３００ｐｉｘｅｌの位置を左上隅として表示することを示している。
【００２８】
また、この図３では、一つの画像ファイル内にメタデータと画像データが入っているが、本発明では、メタデータと画像データを別ファイルに分けて、２つのファイルを何らかの手段（例えば、拡張子以外のファイル名を同じにして拡張子を違えるという手がある。）で関係付ける方法をとってもよく、この場合は、拡大率Ｔと位置情報などのメタデータはメタデータファイルに記録される。しかし、一つのファイルにメタデータと画像データが入っているほうが、ファイルのコピーなどの流通を考えた場合、取り扱いが容易であると思われる。
【００２９】
デジタルカメラ上での拡大と位置を移動させた状態を、図４を用いて説明する。
【００３０】
先ず、図４（ａ）は、会議風景を撮影して等倍で普通に再生させた図である。
【００３１】
次に図４（ｂ）は、拡大ボタンを１回押して拡大率を２倍に設定し、表示位置の目安からもわかるように、全体の画像から見るとちょうど中央の位置に移動させて再生した図である。
【００３２】
次に図４（ｃ）は、拡大ボタンを図４（ｂ）の状態から、さらに１回押して拡大率を３倍に設定し、コンピュータが大写しになるように表示位置をずらした図である。
【００３３】
今、それぞれの図の状態をメタデータではどう表されるかを図５に示す。
【００３４】
図４（ａ）のメタデータを示す図５（ａ）は、画像情報タグより、１６００ｘ１２００の解像度の画像であることを示し、表示制御タグより、拡大率は１のため等倍で表示位置も（ｘ，ｙ）＝（０，０）の原点を示している為、普通に画像が表示される状態を示している。
【００３５】
図４（ｂ）のメタデータを示図５（ｂ）は、画像情報タグは、図５（ａ）と同様で、表示制御タグより、拡大率は２のため２倍で表示位置は（ｘ，ｙ）＝（３７０，３７３）を左上隅に表示することを示している。この３７０と３７３という数字は、拡大する前のｐｉｘｅｌ位置を表している。
【００３６】
同様に図４（ｃ）のメタデータを示図５（ｃ）は、画像情報タグは、図５（ａ）と同様で、表示制御タグより、拡大率は３のため３倍で表示位置は（ｘ，ｙ）＝（８６２，６６７）を左上隅に表示することを示しており、実際に図４（ｃ）はその通りに表示されている。
【００３７】
上記実施例は、デジタルカメラの装置で行っているが、同様な手順で、コンピュータ上の画像閲覧ソフトにおいて、画像を拡大して表示位置をずらしたときに情報記録ボタンもしくはメニューを押下して画像ファイルのメタデータに拡大率と位置情報を記録することで、コンピュータ上でも画像ファイルを作成することが可能である。
【００３８】
また、表示画面で画像を拡大して表示位置をずらして拡大率と位置情報を記録し、次に画像を出力するデバイスは異なるデバイスであっても良い。以下の実施例でも同様である。例えば上記コンピュータ、印刷装置などである。
【００３９】
＜実施形態２＞
実施例１の処理ステップＳ１１０において、情報記録ボタンが押されると拡大率と位置情報が、ボタンの押されるたびに上書きされてしまうが、図９のように、メタデータの表示制御タグのｏｖｅｒｗｒｉｔｅフラグをｏｆｆとすることで、ｐｏｉｎｔタグを複数持つことができるようにした場合を考えて見る。
【００４０】
この場合、情報記録ボタンを押すたびに、どんどんその時点の拡大率と位置情報をメタデータに追加して記録することになる。
【００４１】
再生時には、あらかじめ設定されている間隔で複数の拡大率と位置情報を順番に再生する。図９のメタデータに適用すると、表示制御タグのｎｕｍフラグから４つのｐｏｉｎｔタグ（拡大率と位置情報）が存在していることがわかり、先ず、拡大率２倍で（５００，  ３００）の位置で表示して、次に拡大率２倍で（１２００，４００）の位置で表示して、次に今度は拡大率３倍で（１５００，５００）の位置で表示して、最後に拡大率２倍で（１８００，６００）の位置で表示される。この表示を繰り返してもよい。
【００４２】
これにより、一枚で表された高解像度の写真の中を次々と移動して見ることが可能になる。
【００４３】
例えば、集合写真を高解像度で一度撮影して、プレビュー時に１人の顔をアップで見れるように倍率や位置を調整し、全員分の情報を記録する。次回再生するときには、一枚の画像から複数の１人１人がアップになった写真を擬似的に得ることができ、１人１人アップで撮影する必要がない。
【００４４】
＜実施形態３＞
本実施形態は、拡大縮小情報と位置情報の記録を、情報記録ボタンを押すなどのトリガーを起こさなくても、自動的に記録する点が実施形態１と異なる。
【００４５】
フローチャート図６を用いて説明する。
【００４６】
処理ステップＳ１００〜ステップＳ１０４，ステップＳ１０６〜ステップＳ１０８に関しては、実施例１と同様である。
【００４７】
処理ステップＳ１０５において、拡大率Ｔ倍で、図１の１０４の画像処理部において画像が拡大され、続いて、処理ステップＳ１１１に移ることで、自動的に拡大率と位置情報の記録を行う。
【００４８】
処理ステップＳ１１１で、拡大率Ｔと位置情報を取得する。そして、処理ステップＳ１１２に移り前記拡大率Ｔと位置情報をメタデータとして図１のリムーバブルメディア１０８に記録した後、処理ステップＳ１０１に戻り拡大画像を再生する。
【００４９】
また、処理ステップＳ１０９で、位置移動指示が上下左右どれを指示したかにより指示と同じ方角に画像を移動させた後は、自動的に拡大率と位置情報を記録する為に、処理ステップＳ１１１に移り、拡大率Ｔと位置情報を取得する。そして、処理ステップＳ１１２に移り前記拡大率Ｔと位置情報をメタデータとして図１のリムーバブルメディア１０８に記録した後、処理ステップＳ１０１に戻り画像を移動して再生を行う。
【００５０】
以上により、ユーザは単純に見たい位置に画像を移動させ、見たい倍率で画像を拡大するだけで、特別な操作を必要とすることなくメタデータに拡大率と位置情報を記録することができる。
【００５１】
＜実施形態４＞
図３のような画像ファイルをデジタルカメラ上で再生する場合、もしくは、コンピュータ上でメタデータを抜き出して、その情報に基づいて画像を表示するソフトウェアの手順を、フローチャート図７を用いて説明する。
【００５２】
先ず、処理ステップＳ２００で画像ファイル内にメタデータと画像データが同梱されている場合は、画像ファイル内から、メタデータが別ファイルになっている場合は、画像データに関連するメタデータファイルからメタデータを取り出し、拡大率Ｔと位置情報を取得する。次に、処理ステップＳ２０１で拡大率が取得できた場合は処理ステップＳ２０２に移り、処理ステップＳ２００で取得した拡大率で画像を拡大する。次に処理ステップＳ２０２に移り、位置情報が取得できた場合は処理ステップＳ２０４に移り、処理ステップＳ２００で取得した表示位置に画像を移動させる。そして、処理ステップＳ２０５で画像を再生すると、メタデータに記録された拡大率と表示位置でいつも画像を見ることができる。
【００５３】
処理ステップＳ２０１で拡大率がメタデータに存在せず取得できない場合は、処理ステップＳ２０３からの処理に移る。処理ステップＳ２０４で同じく位置情報がメタデータに存在しなく取得できない場合は、処理ステップＳ２０６に移り位置情報を表示位置の横も縦も０の位置に設定して、処理ステップＳ２０５で画像を再生する。
【００５４】
これにより、例えば、子供のクラスの全体写真を撮影し、デジカメで、自分の子供をアップにして再生してそのメタデータを本発明の方法で記録してある画像ファイルを再生する場合、再生操作をするだけで、いつも自分の子供のアップを見ることができる。このメタデータ情報がない場合は、毎回スクロールバーや表示位置変更キーなどで自分の子供が見える位置に調整してしかも拡大の設定を行わなくてはならない。
【００５５】
＜実施形態５＞
撮影時にデジタルカメラのフォーカス情報によりフォーカスがあたった点や視線入力装置があれば、視線入力の注目していた点の情報を得て、表示位置を自動的にメタデータとして画像データとともに記録しておくことで、画像の再生時に自動的に注目したであろう点がアップで表示される。
【００５６】
フローチャート図８を用いて説明する。
【００５７】
先ず、撮影を開始し、処理ステップＳ３００でフォーカス情報を取得する。この時、フォーカスがもっともあたった点の中心座標を（ｆｘ，ｆｙ）とする。次に処理ステップＳ３０１に移り、デジタルカメラの液晶画面の解像度を取得する。解像度の幅をｓｗ，高さをｓｈとする。次に処理ステップＳ３０２に移り、表示させたい位置（ｘ，ｙ）を次の計算式により求める。
ｘ＝ｆｘ−ｓｗ／２；
ｙ＝ｆｙ−ｓｈ／２；
【００５８】
そして、処理ステップＳ３０３に移り、拡大倍率をあらかじめ設定しておいた値にする。これはデジタルカメラの設定画面などで設定しておく。
【００５９】
次に処理ステップＳ３０４に移り、拡大率と表示位置をメタデータとして画像ファイルに記録する。
【００６０】
これにより、実施例３の方法で画像を再生するとフォーカスがあたった点を中心としてある倍率で拡大表示されて、意識して表示位置を決めなくても自動的に表示位置が設定されて便利であり、ピントがあった画像かどうか、また、本当に撮影したい被写体にピントがあったのかどうかのチェックにも使用することができる。
【００６１】
上記説明では、フォーカス情報を用いたが、視線入力装置がついているデジタルカメラでは、視線があった点をフォーカスが合った点として上記手順を置き換えることで、再生時に、注目した点をアップで表示することが可能である。
【００６２】
＜実施形態６＞
実施形態２では、一枚の写真の中で複数の拡大率と位置情報を設定していたが、図１０のメタデータに示されるように、どの画像データかを示すＩＭＧタグをｐｏｉｎｔタグにそれぞれ追加することで、複数の画像にまたがる設定も可能である。
【００６３】
これにより、何枚かの画像をコンピュータで合成してパノラマ画像を作成する為に、例えば水平方向にずらした写真を撮影してある場合に、まるで動画で横にパンして撮影したかのごとく表示させることが可能である。
【００６４】
また、本実施形態１〜６では、リムーバブルメディア１０８に拡大縮小情報と位置情報を記録しているが、これに限られるものではなく、ネットワーク上の端末など、情報を記録できる媒体であれば何であっても良い。適用実施例としてデジタルカメラのプレビュー画面を用いたが、画像を閲覧できる装置であれば全て含まれる。
【００６５】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても達成されることは言うまでもない。
【００６６】
この場合、記憶媒体から読出されたプログラムコード自体が前述した実施形態の機能を実現することになり、そのプログラムコードを記憶した記憶媒体は本発明を構成することになる。
【００６７】
プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。
【００６８】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれることは言うまでもない。
【００６９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００７０】
以上、詳細に説明したが、本発明の主旨を逸脱しない範囲での変更や改良が行なわれえることは言うまでもない。
【図面の簡単な説明】
【００７１】
【図１】本発明（実施例１）のブロック図。
【図２】実施形態１のフローチャート。
【図３】実施形態１の画像ファイル（メタデータ）を表す図。
【図４】実施形態１の様々な拡大倍率や表示位置で画像を再生した図。
【図５】実施形態１の図４のメタデータ。
【図６】実施形態２のフローチャート。
【図７】実施形態３のフローチャート。
【図８】実施形態４のフローチャート。
【図９】実施形態５のメタデータ。
【図１０】実施形態６のメタデータ。
【図１】
2006121306.tif 000003
【図２】
2006121306.tif 000004
【図３】
2006121306.tif 000005
【図４】
2006121306.tif 000006
【図５】
2006121306.tif 000007
【図６】
2006121306.tif 000008
【図７】
2006121306.tif 000009
【図８】
2006121306.tif 000010
【図９】
2006121306.tif 000011
【図１０】
2006121306.tif 000012